(57)【特許請求の範囲】
【請求項１】
可視情報を担持したシート本体と、このシート本体に幅方向に延びるように装着され、該装着部分が直線状を維持しようとするようにさせる補強体と、前記シート本体の、前記補強体より一方の側の部分に設けられた第一の面ファスナーと、前記シート本体の、前記補強体より他方の側の部分に設けられた第二の面ファスナーとを有してなり、前記第一および第二の面ファスナーは互いに結合および分離可能とされていることを特徴とする標識シート。
【請求項２】
前記補強体は棒状とされている請求項１記載の標識シート。
【請求項３】
前記補強体は発泡体からなる請求項１または２記載の標識シート。
【請求項４】
前記発泡体は圧縮状態で前記シート本体に装着されている請求項１，２または３記載の標識シート。
【請求項５】
前記シート本体のうちの、前記補強体の両端付近の部分に、該シート本体の両側端から前記補強体の両端に向かって入り込むずれ止め凹部が設けられている請求項１，２，３または４記載の標識シート。
【発明の詳細な説明】
【０００１】
【発明の属する技術分野】
本発明は、建築現場等で安全標識等として使用される標識シートに関する。
【０００２】
【従来の技術】
図１〜４は、従来のこの種の標識シート１を示している。この標識シート１は、シート本体２と、このシート本体２に装着された、互いに結合および分離可能な第一および第二の面ファスナー３，４とを有してなる。図１に示されるように、シート本体２の表面には、安全等を喚起する文字、図形等の可視情報５が担持されている。全面を広げた状態における前記シート本体２の裏面の上端部には、適当数の第一の面ファスナー３が横１列に装着されている。また、図２に示されるように、前記シート本体２の裏面の、第一の面ファスナー３の列よりやや下方の部分には、適当数の第二の面ファスナー４が横１列に装着されている。
【０００３】
この従来の標識シート１は、図３および４に示されるように、水平方向に渡される単管パイプ６やロープ等に装着されて使用される。さらに詳しく説明すると、シート本体２が単管パイプ６やロープ等を間に挟み込むこととなるように、シート本体２の上端部付近（第一の面ファスナー３装着部）を下方に折り返し、第一の面ファスナー３と第二の面ファスナー４とを互いに結合させることにより、シート本体２の上端部付近にループを形成させるとともに、前記単管パイプ６またはロープ等が前記ループ内を貫通するようにして、標識シート１を単管パイプ６またはロープ等に装着し、該標識シート１が単管パイプ６またはロープ等から垂れ下がるようにする。
【０００４】
他方、図５は、建築現場において一般的に使用されている足場を示しており、「交差筋かい」と称されるＸ字状に交差する部材７が備えられている。
【０００５】
図６および７は、従来の標識シート１の他の例を示しており、この標識シート１は前記足場の交差筋かい７に装着するためのものである。この従来の標識シート１においては、図６に示されるように、シート本体２は、全面を広げられた状態では、矩形の左上および右上の角部を交差筋かい７の傾き角度に対応する角度で切り落とした６角形状をなしており、第一および第二の面ファスナー３，４がシート本体２の裏面に、該シート本体２の左右上端部の斜辺に対して平行となるように装着されている。
【０００６】
そして、図７のように、交差筋かい７の下半側の部分を間に挟むようにして、交差筋かい７の傾きに沿ってシート本体２の左右の斜辺付近の部分を折り返して第一の面ファスナー３と第二の面ファスナー４とを互いに結合することにより、交差筋かい７の下半側の部分に装着されていた。
【０００７】
【発明が解決しようとする課題】
前記図１〜４の従来の標識シート１においては、水平方向に渡される単管パイプ６やロープ等には装着できるが、足場の交差筋かい７には装着することができないという問題があった。
【０００８】
他方、前記図６および７の従来の標識シート１においては、逆に、交差筋かい７には装着することができるが、水平方向に渡される単管パイプ６やロープ等には装着できないという問題があった。
【０００９】
また、標識シート１の上端部が足場の交差筋かい７の下半部分に位置するようにしか装着できないため、装着位置が低くならざるを得ず、視認性が悪くなるという問題もあった。
【００１０】
本発明は、このような従来の事情に鑑みてなされたもので、本発明の１つの目的は、水平方向に渡される単管パイプ６やロープ等と足場の交差筋かい７との、いずれにも装着できる標識シートを提供することにある。
【００１１】
本発明の他の目的は、足場の交差筋かい７の比較的高い位置に装着し、視認性を高めることができる標識シートを提供することにある。
【００１２】
本発明の他の目的は、以下の説明から明らかになろう。
【００１３】
【課題を解決するための手段】
本発明による標識シートは、可視情報を担持したシート本体と、このシート本体に幅方向に延びるように装着され、該装着部分が直線状を維持しようとするようにさせる補強体と、前記シート本体の、前記補強体より一方の側の部分に設けられた第一の面ファスナーと、前記シート本体の、前記補強体より他方の側の部分に設けられた第二の面ファスナーとを有してなり、前記第一および第二の面ファスナーは互いに結合および分離可能とされているものである。
【００１４】
この標識シートは、前記図１〜４の従来の標識シート１と全く同様にして、水平方向に渡される単管パイプやロープ等に装着することができる。なお、この場合、補強体は単管パイプやロープ等に沿った状態となり、単管パイプやロープ等への装着に何ら障害となることがない。
【００１５】
また、足場の交差筋かいに対しては、交差筋かいの上半部分において、補強体が水平となるようにして、補強体の両端部を交差筋かい上に載置するとともに、シート本体が交差筋かいを間に挟み込むこととなるようにシート本体の第一の面ファスナー装着部を下方に折り返し、第一の面ファスナーと第二の面ファスナーとを互いに結合することにより、シート本体にループを形成させるとともに交差筋かいの一部が前記ループ内を貫通するようにする。これにより、標識シートを交差筋かいに装着し、該交差筋かいから垂れ下がるようにすることができる。
【００１６】
このようにして本発明の標識シートは、水平方向に渡される単管パイプやロープ等と足場の交差筋かいとのいずれにも装着できる。
【００１７】
また、足場の交差筋かいの上半部分に標識シートの上端部を装着できるので、交差筋かいに対する標識シートの装着位置を従来より高くし、視認性を高めることができる。
【００１８】
【発明の実施の形態】
以下、本発明を実施例に基づいて説明する。
【００１９】
【実施例】
図８〜１２は、本発明による標識シート１の一実施例を示している。この実施例において、標識シート１は、シート本体２と、このシート本体２に装着された、互いに結合および分離可能な第一および第二の面ファスナー３，４と、補強体８とを有してなる。前記シート本体２は、布補強塩化ビニールシートからなるターポリンからなり、基本的には矩形状をなしていて、図８に示されるように、その表面には、安全を喚起する文字、図形等の可視情報５が印刷等をされることにより担持されている。
【００２０】
図９および１０に示されるように、全面を広げた状態における前記シート本体２の上端部付近には、該シート本体２の幅方向（水平方向）に延びるように、前記補強体８が装着されている。この補強体８は、発泡ポリエチレン等の発泡樹脂からなり、大略横断面円形の直線状の棒状をなしており、具体的には次のようにしてシート本体２に装着されている。当て布９はシート本体２と同一材料からなり、該当て布９とシート本体２との間に補強体８が収容されるようにして、該当て布９の上下端部がシート本体２に熱溶着等により接合されている。ここで、前記当て布９とシート本体２との間に形成される空間の横断面は、自由な状態における補強体８の横断面に比し狭くされており、これにより補強体８は圧縮された状態で当て布９とシート本体２との間に収容されている。
【００２１】
このように当て布９とシート本体２との間に補強体８を収容してなる標識シート１の補強体８装着部分は、手で自由に折り曲げることができるほど柔軟性を備えているが、後述するように足場の交差筋かい７に装着されたとき、シート本体２の重さに耐えて直線状を維持するに十分な程度の剛性を同時に備えている。
【００２２】
前記シート本体２のうちの、補強体８の左右両端付近の部分には、該シート本体２の左右両端から補強体８の左右両端に向かって入り込むずれ止め凹部１０がそれぞれ設けられている。図９によく示されるように、全面を広げた状態における前記シート本体２の裏面の上端部（したがって、補強体８のやや上方）には、適当数（図では３個）の第一の面ファスナー３が横１列に装着されている。また、前記シート本体２の裏面の、補強体８のやや下方の部分には、適当数（図では３個）の第二の面ファスナー４が横１列に装着されている。前記第一および第二の面ファスナー３，４の一方は、多数のフック係合子を植設されることにより雄材とされる一方、他方のファスナーは、多数のループ係合子を植設されることにより雌材とされており、これにより第一および第二の面ファスナー３，４は互いに結合および分離可能とされている。
【００２３】
この標識シート１は、水平方向に渡される単管パイプ６やロープ等に対しては、図１〜４の従来の標識シート１と全く同様にして装着し、垂れ下がらせることができる。なお、このように単管パイプ６やロープ等に装着したとき、補強体８は単管パイプ６やロープ等に沿った状態となり、パイプ６やロープ等への装着に何ら障害となることがない。
【００２４】
また、足場の交差筋かい７に対しては、図１１および１２のようにして装着することができる。すなわち、交差筋かい７の上半部分において、補強体８が水平となるようにして、補強体８の両端部を当て布９を介して交差筋かい７上に載置するとともに、シート本体２が交差筋かい７を間に挟み込むこととなるようにシート本体２の上端部付近（第一の面ファスナー３装着部）を下方に折り返し、第一の面ファスナー３と第二の面ファスナー４とを互いに結合することにより、シート本体２の上端部付近にループを形成させるとともに交差筋かい７の一部が前記ループ内を貫通するようにして、標識シート１を交差筋かい７に装着し、該交差筋かい７から垂れ下がるようする。なお、この際、ずれ止め凹部１０の周縁部が交差筋かい７の外周に巻回されることにより、交差筋かい７に対し標識シート１がずれるのが防止される。
【００２５】
また、前述のように標識シート１の補強体８装着部分はシート本体２の重さに耐えて直線状を維持するに十分な程度の剛性を有しているので、標識シート１が交差筋かい７に装着されたときに、補強体８装着部が折れ曲がってしまうことはない。
【００２６】
以上のようにして本発明の標識シート１は、水平方向に渡される単管パイプ６やロープ等と足場の交差筋かい７とのいずれにも装着できる。
【００２７】
また、足場の交差筋かい７の上半部分に標識シート１の上端部を装着できるので、交差筋かい７に対する標識シート１の装着位置を従来より高くし、視認性を高めることができる。
【００２８】
なお、本発明の標識シートにおける補強体８は、必ずしも前記実施例の場合のように発泡樹脂等の発泡体から構成されていなくてもよい。しかし、前記実施例のように、補強体８を発泡樹脂等の発泡体により構成すれば、万が一、強風等のために標識シート１が交差筋かい７、単管パイプ６、ロープ等の被装着物から外れて飛んでしまったとしても、補強体８によって人が怪我したりする虞がなく、安全である。
【００２９】
また、前記実施例の場合のように、発泡体により構成された補強体８が圧縮状態でシート本体２に装着されるようにすれば、補強体８を柔らかい材料で構成しても、足場の交差筋かい７に装着されたとき、シート本体２の重さに耐えて直線状を維持するに十分な程度の剛性を標識シート１の補強体８装着部分に持たせることができる。
【００３０】
また、前記実施例では、補強体８が棒状とされているが、本発明においては、補強体を帯状等の形状としてもよい。
【００３１】
【発明の効果】
以上のように本発明による標識シートは、
（イ）水平方向に渡される単管パイプやロープ等および足場の交差筋かいのいずれにも装着できる、
（ロ）足場の交差筋かいの比較的高い位置に装着し、視認性を高めることができる、
等の優れた効果を得られるものである。
【図面の簡単な説明】
【図１】従来の標識シートの一例を全面を広げた状態で示す正面図である。
【図２】前記従来の標識シートを全面を広げた状態で示す背面図である。
【図３】前記従来の標識シートを単管パイプに装着した状態を示す正面図である。
【図４】図３のＩＶ−ＩＶ線における断面図である。
【図５】建築現場で使用される一般的な足場を示す斜視図である。
【図６】従来の標識シートの他の例を全面を広げた状態で示す背面図である。
【図７】前記他の従来例を足場の交差筋かいに装着した状態を示す正面図である。
【図８】本発明による標識シートの一実施例を全面を広げた状態で示す正面図である。
【図９】前記実施例を全面を広げた状態で示す背面図である。
【図１０】図９のＸ−Ｘ線における断面図である。
【図１１】前記実施例を足場の交差筋かいに装着した状態を示す正面図である。
【図１２】図１１のＸＩＩ−ＸＩＩ線における断面図である。
【符号の説明】
１    標識シート
２    シート本体
３    第一の面ファスナー
４    第二の面ファスナー
５    可視情報
７    足場の交差筋かい
８    補強体
１０    ずれ止め凹部
【図１】
0004137261.tif 000002
【図２】
0004137261.tif 000003
【図３】
0004137261.tif 000004
【図４】
0004137261.tif 000005
【図５】
0004137261.tif 000006
【図６】
0004137261.tif 000007
【図７】
0004137261.tif 000008
【図８】
0004137261.tif 000009
【図９】
0004137261.tif 000010
【図１０】
0004137261.tif 000011
【図１１】
0004137261.tif 000012
【図１２】
0004137261.tif 000013